【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
行列状に配列された複数の画素を有する固体撮像素子を駆動させて映像信号を取得する固体撮像装置において、
前記固体撮像装置は、前記映像信号の１フレームの撮像に関し、第１フィールド画像と第２フィールド画像とを生成し、
前記第１フィールド画像および前記第２フィールド画像は、それぞれ前記画素のｍ列（ｍは正の整数）毎に信号を読み出したもので、
前記第１フィールド画像と前記第２フィールド画像とは、互いに異なる蓄積時間によって得られたものであり、
前記固体撮像装置は、前記第１フィールド画像と前記第２フィールド画像との除算処理によってフリッカ成分を抽出し、フリッカを検出するフリッカ検出手段を有することを特徴とする固体撮像装置。
【請求項２】
請求項１に記載の固体撮像装置において、
前記固体撮像装置は、前記映像信号の１フレームの撮像に関し、前記固体撮像素子の列のうち、奇数列をｎ／１００秒（ｎは正の整数）及び偶数列をｎ／１２０秒、または奇数列をｎ／１２０秒及び偶数列をｎ／１００秒の蓄積時間で駆動させ、前記第１フィールド画像と前記第２フィールド画像とを生成し、
前記第１フィールド画像は奇数列の前記画素の信号を読み出したものであり、
前記第２フィールド画像は偶数列の前記画素の信号を読み出したものであることを特徴とする固体撮像装置。
【請求項３】
行列状に配列された複数の画素を有する固体撮像素子を駆動させて映像信号を取得する固体撮像装置において、
前記固体撮像装置は、前記映像信号の１フレームの撮像に関し、第１フィールド画像と第２フィールド画像とを生成し、
前記第１フィールド画像および前記第２フィールド画像は、それぞれ前記画素のｍ行（ｍは正の整数）毎に信号を読み出したもので、
前記第１フィールド画像と前記第２フィールド画像とは、互いに異なる蓄積時間によって得られたものであり、
前記固体撮像装置は、前記第１フィールド画像と前記第２フィールド画像との除算処理によってフリッカ成分を抽出し、フリッカを検出するフリッカ検出手段を有することを特徴とする固体撮像装置。
【請求項４】
請求項３に記載の固体撮像装置において、
前記固体撮像装置は、前記映像信号の１フレームの撮像に関し、前記固体撮像素子の行のうち、奇数行をｎ／１００秒（ｎは正の整数）及び偶数行をｎ／１２０秒、または奇数行をｎ／１２０秒及び偶数行をｎ／１００秒の蓄積時間で駆動させ、前記第１フィールド画像と前記第２フィールド画像とを生成し、
前記第１フィールド画像は奇数行の前記画素の信号を読み出したものであり、
前記第２フィールド画像は偶数行の前記画素の信号を読み出したものであることを特徴とする固体撮像装置。
【請求項５】
複数の画素を有する固体撮像素子を駆動させて映像信号を取得する固体撮像装置において、
前記固体撮像装置は、前記映像信号の時系列に連続する２つのフレームの撮像に関して、第１フィールド画像と第２フィールド画像とを生成し、
前記第１フィールド画像は、前記２つのフレームのうちの前フレームでの前記画素の信号を読み出したもので、
前記第２フィールド画像は、前記２つのフレームのうちの後フレームでの前記画素の信号を読み出したもので、
前記第１フィールド画像と前記第２フィールド画像とは、前記前フレームをｎ／１００秒（ｎは正の整数）及び前記後フレームをｎ／１２０秒、または前記前フレームをｎ／１２０秒及び前記後フレームをｎ／１００秒の蓄積時間で駆動させて得られたものであり、
前記固体撮像装置は、前記第１フィールド画像と前記第２フィールド画像との除算処理によってフリッカ成分を抽出し、フリッカを検出するフリッカ検出手段を有することを特徴とする固体撮像装置。
【請求項６】
請求項１〜５のいずれか１項に記載の固体撮像装置において、
前記フリッカ検出手段によるフリッカ検出後、前記固体撮像素子の行毎にフリッカ成分の逆位相に比例する補正ゲインをかける手段をさらに有することを特徴とする固体撮像装置。
【請求項７】
請求項１〜５のいずれか１項に記載の固体撮像装置において、
前記フリッカ検出手段によるフリッカ検出後、前記フリッカの発生しない蓄積時間を設定する手段をさらに有することを特徴とする固体撮像装置。
【請求項８】
行列状に配列された複数の画素を有する固体撮像素子を駆動させて映像信号を取得する固体撮像装置の駆動方法において、
前記映像信号の１フレームの撮像に関し、第１フィールド画像と第２フィールド画像とを生成し、
生成された前記第１フィールド画像と前記第２フィールド画像との除算処理によってフリッカ成分を抽出してフリッカを検出し、
前記第１フィールド画像および前記第２フィールド画像は、それぞれ前記画素のｍ列（ｍは正の整数）毎に信号を読み出したもので、
前記第１フィールド画像と前記第２フィールド画像とは、互いに異なる蓄積時間によって得られたものであることを特徴とする固体撮像装置の駆動方法。
【請求項９】
行列状に配列された複数の画素を有する固体撮像素子を駆動させて映像信号を取得する固体撮像装置の駆動方法において、
前記映像信号の１フレームの撮像に関し、第１フィールド画像と第２フィールド画像とを生成し、
生成された前記第１フィールド画像と前記第２フィールド画像との除算処理によってフリッカ成分を抽出してフリッカを検出し、
前記第１フィールド画像および前記第２フィールド画像は、それぞれ前記画素のｍ行（ｍは正の整数）毎に信号を読み出したもので、
前記第１フィールド画像と前記第２フィールド画像とは、互いに異なる蓄積時間によって得られたものであることを特徴とする固体撮像装置の駆動方法。
【請求項１０】
複数の画素を有する固体撮像素子を駆動させて映像信号を取得する固体撮像装置の駆動方法において、
前記映像信号の時系列に連続する２つのフレームの撮像に関して、第１フィールド画像と第２フィールド画像とを生成し、
生成された前記第１フィールド画像と前記第２フィールド画像との除算処理によってフリッカ成分を抽出してフリッカを検出し、
前記第１フィールド画像は、前記２つのフレームのうちの前フレームでの前記画素の信号を読み出したもので、
前記第２フィールド画像は、前記２つのフレームのうちの後フレームでの前記画素の信号を読み出したもので、
前記第１フィールド画像と前記第２フィールド画像とは、前記前フレームをｎ／１００秒（ｎは正の整数）及び前記後フレームをｎ／１２０秒、または前記前フレームをｎ／１２０秒及び前記後フレームをｎ／１００秒の蓄積時間で駆動させて得られたものであることを特徴とする固体撮像装置の駆動方法。
【請求項１１】
請求項１〜７のいずれか１項に記載の固体撮像装置と、
前記固体撮像装置へ光を結像する光学系と、
前記固体撮像装置からの出力信号を処理する信号処理回路とを有することを特徴とする撮像システム。
【手続補正２】
【補正対象書類名】明細書
【補正対象項目名】００１１
【補正方法】変更
【補正の内容】
【００１１】
すなわち、本発明に係る固体撮像装置は、行列状に配列された複数の画素を有する固体撮像素子を駆動させて映像信号を取得する固体撮像装置において、前記固体撮像装置は、前記映像信号の１フレームの撮像に関し、第１フィールド画像と第２フィールド画像とを生成し、前記第１フィールド画像および前記第２フィールド画像は、それぞれ前記画素のｍ列（ｍは正の整数）毎に信号を読み出したもので、前記第１フィールド画像と前記第２フィールド画像とは、互いに異なる蓄積時間によって得られたものであり、前記固体撮像装置は、前記第１フィールド画像と前記第２フィールド画像との除算処理によってフリッカ成分を抽出し、フリッカを検出するフリッカ検出手段を有することを特徴とする。
【手続補正３】
【補正対象書類名】明細書
【補正対象項目名】００１２
【補正方法】変更
【補正の内容】
【００１２】
また、本発明に係る固体撮像装置は、行列状に配列された複数の画素を有する固体撮像素子を駆動させて映像信号を取得する固体撮像装置において、前記固体撮像装置は、前記映像信号の１フレームの撮像に関し、第１フィールド画像と第２フィールド画像とを生成し、前記第１フィールド画像および前記第２フィールド画像は、それぞれ前記画素のｍ行（ｍは正の整数）毎に信号を読み出したもので、前記第１フィールド画像と前記第２フィールド画像とは、互いに異なる蓄積時間によって得られたものであり、前記固体撮像装置は、前記第１フィールド画像と前記第２フィールド画像との除算処理によってフリッカ成分を抽出し、フリッカを検出するフリッカ検出手段を有することを特徴とする。
【手続補正４】
【補正対象書類名】明細書
【補正対象項目名】００１３
【補正方法】変更
【補正の内容】
【００１３】
また、本発明に係る固体撮像装置は、複数の画素を有する固体撮像素子を駆動させて映像信号を取得する固体撮像装置において、前記固体撮像装置は、前記映像信号の時系列に連続する２つのフレームの撮像に関して、第１フィールド画像と第２フィールド画像とを生成し、前記第１フィールド画像は、前記２つのフレームのうちの前フレームでの前記画素の信号を読み出したもので、前記第２フィールド画像は、前記２つのフレームのうちの後フレームでの前記画素の信号を読み出したもので、前記第１フィールド画像と前記第２フィールド画像とは、前記前フレームをｎ／１００秒（ｎは正の整数）及び前記後フレームをｎ／１２０秒、または前記前フレームをｎ／１２０秒及び前記後フレームをｎ／１００秒の蓄積時間で駆動させて得られたものであり、前記固体撮像装置は、前記第１フィールド画像と前記第２フィールド画像との除算処理によってフリッカ成分を抽出し、フリッカを検出するフリッカ検出手段を有することを特徴とする。
【手続補正５】
【補正対象書類名】明細書
【補正対象項目名】００１４
【補正方法】変更
【補正の内容】
【００１４】
本発明に係る固体撮像装置の駆動方法は、行列状に配列された複数の画素を有する固体撮像素子を駆動させて映像信号を取得する固体撮像装置の駆動方法において、前記映像信号の１フレームの撮像に関し、第１フィールド画像と第２フィールド画像とを生成し、生成された前記第１フィールド画像と前記第２フィールド画像との除算処理によってフリッカ成分を抽出してフリッカを検出し、前記第１フィールド画像および前記第２フィールド画像は、それぞれ前記画素のｍ列（ｍは正の整数）毎に信号を読み出したもので、前記第１フィールド画像と前記第２フィールド画像とは、互いに異なる蓄積時間によって得られたものであることを特徴とする。
【手続補正６】
【補正対象書類名】明細書
【補正対象項目名】００１５
【補正方法】変更
【補正の内容】
【００１５】
また、本発明に係る固体撮像装置の駆動方法は、行列状に配列された複数の画素を有する固体撮像素子を駆動させて映像信号を取得する固体撮像装置の駆動方法において、前記映像信号の１フレームの撮像に関し、第１フィールド画像と第２フィールド画像とを生成し、生成された前記第１フィールド画像と前記第２フィールド画像との除算処理によってフリッカ成分を抽出してフリッカを検出し、前記第１フィールド画像および前記第２フィールド画像は、それぞれ前記画素のｍ行（ｍは正の整数）毎に信号を読み出したもので、前記第１フィールド画像と前記第２フィールド画像とは、互いに異なる蓄積時間によって得られたものであることを特徴とする。
【手続補正７】
【補正対象書類名】明細書
【補正対象項目名】００１６
【補正方法】変更
【補正の内容】
【００１６】
また、本発明に係る固体撮像装置の駆動方法は、複数の画素を有する固体撮像素子を駆動させて映像信号を取得する固体撮像装置の駆動方法において、前記映像信号の時系列に連続する２つのフレームの撮像に関して、第１フィールド画像と第２フィールド画像とを生成し、生成された前記第１フィールド画像と前記第２フィールド画像との除算処理によってフリッカ成分を抽出してフリッカを検出し、前記第１フィールド画像は、前記２つのフレームのうちの前フレームでの前記画素の信号を読み出したもので、前記第２フィールド画像は、前記２つのフレームのうちの後フレームでの前記画素の信号を読み出したもので、前記第１フィールド画像と前記第２フィールド画像とは、前記前フレームをｎ／１００秒（ｎは正の整数）及び前記後フレームをｎ／１２０秒、または前記前フレームをｎ／１２０秒及び前記後フレームをｎ／１００秒の蓄積時間で駆動させて得られたものであることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】